(57)【要約】【課題】  データ通信を行う通信手段を有する表示装置において、データ通信可能に接続される外部端末装置が保有する電子データを、表示装置側からの操作によって取得可能な表示装置を提供する。【解決手段】  許可端末認識部１４１は、通信許可端末テーブル２００に予め記録される識別情報に基づいて、外部端末装置に対してデータ通信を許可するか否かを判断する。そして、ネットワークインターフェース制御部１１０は、許可端末認識部１４１がデータ通信を許可すると判断した外部端末装置とデータ通信可能に通信部１１２，１１１を制御する。このとき、許可端末認識部１４１は、ペン入力部１３１に入力される指示に基づいて、外部端末装置内の電子データを取得して、表示部１２１に電子データに基づいた画像を表示させる。【選択図】      図１
2009216729.tif 000002
【特許請求の範囲】
【請求項１】
識別情報を保有する外部端末装置とデータ通信を行う通信手段と、画像を表示する表示手段とを有する表示装置であって、
前記表示手段に表示する画像に関する指示を入力する入力手段と、
識別情報が予め記録される通信許可端末テーブルを記憶する記憶手段と、
前記通信手段を制御する通信制御部と、
前記通信許可端末テーブルに予め記録される識別情報に基づいて、外部端末装置に対してデータ通信を許可するか否かを判断する許可端末認識部とを有し、
前記通信制御部が、前記許可端末認識部がデータ通信を許可すると判断した外部端末装置とデータ通信可能に前記通信手段を制御しているときに、
前記許可端末認識部は、前記入力手段に入力される指示に基づいて、外部端末装置に記憶されている電子データを取得して、前記表示手段に電子データに基づいた画像を表示させることを特徴とする表示装置。
【請求項２】
前記許可端末認識部は、データ通信を許可すると判断した外部端末装置内のドライブの構成を前記表示手段に自動的に表示させるように構成されることを特徴とする請求項１に記載の表示装置。
【請求項３】
前記通信許可端末テーブルは、識別情報に対応する外部端末装置のドライブ内のフォルダに関する情報を予め記録するように構成され、
前記許可端末認識部は、前記フォルダに関する情報に基づいて、データ通信を許可すると判断した外部端末装置のドライブ内のフォルダ構成を前記表示手段に自動的に表示させるように構成されることを特徴とする請求項１に記載の表示装置。
【請求項４】
前記通信許可端末テーブルは、識別情報に対応する外部端末装置のログイン情報を予め記録するように構成され、
前記許可端末認識部は、前記ログイン情報に基づいて、データ通信を許可すると判断した外部端末装置に自動的にログインするように構成されることを特徴とする請求項１に記載の表示装置。
【請求項５】
外部端末装置のログイン情報を入力するログイン情報入力手段を有し、
前記許可端末認識部は、前記ログイン情報入力手段によって入力されるログイン情報に基づいて、データ通信を許可すると判断した外部端末装置に自動的にログインするように構成されることを特徴とする請求項１に記載の表示装置。
【請求項６】
前記ログイン情報入力手段は、入力されたログイン情報を前記通信許可端末テーブルに記録することを特徴とする請求項５に記載の表示装置。
【請求項７】
前記通信許可端末テーブルの記録情報は、ポインティングデバイスによって入力可能となるように構成されることを特徴とする請求項１に記載の表示装置。
【請求項８】
請求項１〜７のいずれか１つに記載の表示装置と外部端末装置とが、データ通信可能となるように接続されることを特徴とする表示システム。
【発明の詳細な説明】
【技術分野】
【０００１】
本発明は、データ通信を行う通信手段を有する表示装置およびそれを用いた表示システムに関する。
【背景技術】
【０００２】
プレゼンテーションなどに用いる電子黒板装置と呼ばれる表示装置および該表示装置を備えた表示システムが、数多く提案されている。たとえば、表示装置とデジタル複合機などの画像形成装置とが、ネットワークを介してデータ通信可能に接続された表示システムが提案されている。この表示システムでは、表示装置の表示手段に表示される画像に基づいた電子データが画像形成装置に送信されたとき、画像形成装置は、受信した電子データに基づいて記録媒体に画像を形成することができ、受信した電子データを保存できるようになっている。
【０００３】
また、小型ＰＣ（Personal Computer）端末装置などの小型情報処理端末装置、携帯電話などの携帯端末装置においても、それぞれの端末装置の電子データを閲覧編集できるようになっており、プレゼンテーションを行うときに使用する電子データを、小型情報処理端末装置や携帯端末装置のメモリカードに記憶しておき、メモリカードに記憶される電子データを表示装置で読み出して、電子データに基づいた画像を表示手段に表示させる場合もある。
【０００４】
特許文献１には、複数の表示装置と複数の情報処理端末装置とが、ネットワークを介してデータ通信可能に接続された表示システムが開示されている。特許文献１に開示される表示システムにおいては、情報処理端末装置が保有する電子データに基づいた画像を所望の表示装置に表示させる場合、まず、情報処理端末装置を操作して、複数の表示装置の中から所望の表示装置を選択する。そして、情報処理端末装置を操作して、選択した所望の表示装置に、ネットワークを介して電子データを送信する。情報処理端末装置から送信された電子データを受信した表示装置は、電子データに基づいた画像を表示手段に表示する。
【０００５】
また、特許文献１に開示される表示システムでは、無線通信を用いた無線通信ネットワーク環境の場合、情報処理端末装置は、情報処理端末装置が無線通信ネットワークに接続されたときに、データ通信可能な表示装置を検出し、検出した複数の表示装置の中から所望の表示装置を選択可能に構成されている。
【０００６】
【特許文献１】特開２００４−６２４７７号公報
【発明の開示】
【発明が解決しようとする課題】
【０００７】
特許文献１に開示される表示システムを利用してプレゼンテーションを行う場合、プレゼンテーションを行う発表者は、情報処理端末装置から送信された電子データに基づいた画像を表示装置に表示させて、その表示された画像を見ながらプレゼンテーションを進行することができる。
【０００８】
しかしながら、表示装置に表示されている画像以外の他の画像を参照したい場合、発表者は、情報処理端末装置を操作して、他の画像に対応する電子データを表示装置に送信する必要がある。そのため、プレゼンテーションを一時中断して発表者自らが情報処理端末装置を操作する、または、別のオペレータと連携して、そのオペレータに情報処理端末装置を操作してもらう必要があり、これら操作がプレゼンテーション進行の妨げになる。
【０００９】
したがって本発明の目的は、データ通信を行う通信手段を有する表示装置において、データ通信可能に接続される外部端末装置が保有する電子データを、表示装置側からの操作によって取得可能な表示装置を提供することである。また、このような表示装置を備えた表示システムを提供することである。
【課題を解決するための手段】
【００１０】
本発明は、識別情報を保有する外部端末装置とデータ通信を行う通信手段と、画像を表示する表示手段とを有する表示装置であって、
前記表示手段に表示する画像に関する指示を入力する入力手段と、
識別情報が予め記録される通信許可端末テーブルを記憶する記憶手段と、
前記通信手段を制御する通信制御部と、
前記通信許可端末テーブルに予め記録される識別情報に基づいて、外部端末装置に対してデータ通信を許可するか否かを判断する許可端末認識部とを有し、
前記通信制御部が、前記許可端末認識部がデータ通信を許可すると判断した外部端末装置とデータ通信可能に前記通信手段を制御しているときに、
前記許可端末認識部は、前記入力手段に入力される指示に基づいて、外部端末装置に記憶されている電子データを取得して、前記表示手段に電子データに基づいた画像を表示させることを特徴とする表示装置である。
【００１１】
また本発明は、前記許可端末認識部は、データ通信を許可すると判断した外部端末装置内のドライブの構成を前記表示手段に自動的に表示させるように構成されることを特徴とする。
【００１２】
また本発明は、前記通信許可端末テーブルは、識別情報に対応する外部端末装置のドライブ内のフォルダに関する情報を予め記録するように構成され、
前記許可端末認識部は、前記フォルダに関する情報に基づいて、データ通信を許可すると判断した外部端末装置のドライブ内のフォルダ構成を前記表示手段に自動的に表示させるように構成されることを特徴とする。
【００１３】
また本発明は、前記通信許可端末テーブルは、識別情報に対応する外部端末装置のログイン情報を予め記録するように構成され、
前記許可端末認識部は、前記ログイン情報に基づいて、データ通信を許可すると判断した外部端末装置に自動的にログインするように構成されることを特徴とする。
【００１４】
また本発明は、外部端末装置のログイン情報を入力するログイン情報入力手段を有し、
前記許可端末認識部は、前記ログイン情報入力手段によって入力されるログイン情報に基づいて、データ通信を許可すると判断した外部端末装置に自動的にログインするように構成されることを特徴とする。
【００１５】
また本発明は、前記ログイン情報入力手段は、入力されたログイン情報を前記通信許可端末テーブルに記録することを特徴とする。
【００１６】
また本発明は、前記通信許可端末テーブルの記録情報は、ポインティングデバイスによって入力可能となるように構成されることを特徴とする。
【００１７】
また本発明は、前記表示装置と外部端末装置とが、データ通信可能となるように接続されることを特徴とする表示システムである。
【発明の効果】
【００１８】
本発明によれば、許可端末認識部は、通信許可端末テーブルに予め記録される識別情報に基づいて、外部端末装置に対してデータ通信を許可するか否かを判断する。そして、通信制御部は、許可端末認識部がデータ通信を許可すると判断した外部端末装置とデータ通信可能に通信手段を制御する。このとき、許可端末認識部は、入力手段に入力される指示に基づいて、外部端末装置内の電子データを取得して、表示手段に電子データに基づいた画像を表示させる。そのため、データ通信可能に接続される外部端末装置が保有する電子データを、表示装置側からの指示に基づいて取得して表示することができる。
【００１９】
また本発明によれば、許可端末認識部は、データ通信を許可すると判断した外部端末装置内のドライブの構成を、表示手段に自動的に表示させるように構成される。そのため、データ通信を許可された外部端末装置において予めルール付けされたドライブの構成を、表示手段に自動的に表示することができる。ここで、ドライブ構成とは、ドライブ情報と、フォルダ情報と、電子データを示すファイル情報とから構成されるものである。許可端末認識部がドライブ構成を自動的に表示させるので、表示手段に表示させる対象となる外部端末装置に記憶されている電子データを検索する手間を省くことが可能となる。
【００２０】
また本発明によれば、通信許可端末テーブルは、識別情報に対応する外部端末装置のドライブ内のフォルダに関する情報を予め記録するように構成されている。そして、許可端末認識部は、通信許可端末テーブルに記録されるフォルダに関する情報に基づいて、データ通信を許可すると判断した外部端末装置のドライブ内のフォルダ構成を、表示手段に自動的に表示させるように構成される。ここで、フォルダ構成とは、フォルダ情報と、電子データを示すファイル情報とから構成されるものである。そのため、データ通信を許可された外部端末装置において予めルール付けされたフォルダ構成を、表示手段に自動的に表示することができるので、表示手段に表示させる対象となる外部端末装置に記憶されている電子データを検索する手間を省くことが可能となる。
【００２１】
また本発明によれば、通信許可端末テーブルは、識別情報に対応する外部端末装置のログイン情報を予め記録するように構成されている。そして、許可端末認識部は、ログイン情報に基づいて、データ通信を許可すると判断した外部端末装置に自動的にログインするように構成される。そのため、情報漏洩防止などのためにログイン規制を設けた外部端末装置であっても、ログインすることができる。
【００２２】
また本発明によれば、許可端末認識部は、ログイン情報入力手段によって入力されるログイン情報に基づいて、データ通信を許可すると判断した外部端末装置に自動的にログインするように構成される。そのため、ログイン情報入力手段によってログイン情報を入力することで、ログイン規制を設けた外部端末装置にログインすることができる。
【００２３】
また本発明によれば、ログイン情報入力手段は、入力されたログイン情報を、通信許可端末テーブルに記録するように構成される。そのため、次回、同一の外部端末装置にログインするときに、通信許可端末テーブルに記録されるログイン情報に基づいてログインすることができる。したがって、ログイン情報入力手段によって、新たにログイン情報を入力する手間を省くことができる。
【００２４】
また本発明によれば、通信許可端末テーブルの記録情報は、ポインティングデバイスによって入力可能となるように構成される。これによって、ポインティングデバイスを使用して、通信許可端末テーブルの記録情報を作成することができる。
【００２５】
また本発明によれば、表示システムは、前記表示装置と外部端末装置とがデータ通信可能となるように接続されている。そのため、データ通信可能に接続される外部端末装置が保有する電子データを、表示装置側からの指示に基づいて取得して表示可能な表示システムとすることができる。
【発明を実施するための最良の形態】
【００２６】
図１は、本発明の実施の一形態である表示システム１０の構成を示す図である。また、図２は、本発明の実施の一形態である表示装置２０の外観を概略的に示す図である。表示システム１０は、プレゼンテーションを行うときなどに利用するシステムである。表示システム１０は、表示装置２０と、外部端末装置である複数のＰＣ（Personal Computer）
端末装置３１，３２とがネットワーク３０を介して双方向データ通信可能に接続されている。また、表示システム１０においては、無線通信を用いた無線通信ネットワーク環境として、表示装置２０と外部端末装置である小型ＰＣ端末装置５１とが、微弱電波を使用して双方向データ通信可能となっている。なお、表示装置２０と微弱電波を使用して双方向データ通信する場合の外部端末装置としては、携帯電話などの携帯端末装置であってもよい。
【００２７】
表示装置２０は、様々なネットワークインフラに接続可能なように構成されている。表示装置２０は、ネットワークインターフェース制御部１１０、有線ネットワーク通信部１１１、Ｂｌｕｅｔｏｏｔｈ（登録商標）などの微弱電波通信部１１２を備え、さらに、表示部１２１およびその制御を行う表示制御部１２０、ペン入力部１３１およびその制御を行う入力制御部１３０、許可端末認識部１４１およびその制御を行う許可端末認識制御部１４０、ハードディスク装置のような不揮発性の記憶手段である記憶媒体１０４、ＲＯＭ（Read Only Memory）１０３、ＲＡＭ（Random Access Memory）１０２、およびＣＰＵ（Central Processing Unit）１０１を備える。
【００２８】
有線ネットワーク通信部１１１は、有線での双方向データ通信を行う通信手段である。有線ネットワーク通信部１１１は、表示装置２０を物理的にネットワーク３０に接続し、そのネットワーク３０に接続されたＰＣ端末装置３１，３２と双方向データ通信するためのハードウェアおよびドライバソフトウェアからなっている。微弱電波通信部１１２は、無線での双方向データ通信を行う通信手段である。微弱電波通信部１１２は、微弱電波を使い、たとえば小型ＰＣ端末装置５１と双方向データ通信するためのハードウェアおよびドライバソフトウェアからなっている。ここで、ドライバソフトウェアとは、それぞれの通信規格に則った信号を生成することのみの、物理層ドライバと呼ばれるソフトウェアである。
【００２９】
ネットワークインターフェース制御部１１０は、有線および無線でのネットワークインフラに接続するための、有線ネットワーク通信部１１１および微弱電波通信部１１２を統括的に制御する通信制御部であり、ネットワーク３０を介してＰＣ端末装置３１，３２との双方向データ通信、微弱電波を使用して小型ＰＣ端末装置５１との双方向データ通信を司る機能を有する。
【００３０】
さらに、ネットワークインターフェース制御部１１０は、微弱電波通信部１１２および有線ネットワーク通信部１１１の通信種別を判別する機能を有し、有線ネットワーク通信部１１１による双方向データ通信以外の場合、微弱電波通信部１１２による双方向データ通信に切り替えるような通信種別を判断する機能も有する。
【００３１】
表示部１２１は、表示装置２０で動作するソフトウェアのユーザーインターフェース等の画面を表示する表示手段であり、表示する内容については表示制御部１２０によって制御するように構成される。また、表示部１２１には、後述する許可端末認識部１４１が通信許可端末装置を検出したときに、通信許可端末装置内のドライブの構成が表示される領域であるドライブ構成表示領域３０１が形成されている。表示部１２１内におけるドライブ構成表示領域３０１の位置は固定ではなく、移動できるように構成されている。このとき、ドライブ構成表示領域３０１Oを表示部１２１内で移動させたとき、移動後の位置情報を表示装置に記憶しておき、次回表示時には記憶した位置情報をもとに、ドライブ構成表示領域３０１が形成されるようにしてもよい。
【００３２】
ペン入力部１３１は、表示画面のマウスポインタなどの位置を入力する入力手段であり、ペン状のポインティングデバイス３０２と、その位置情報検出装置とによって構成されており、ポインティングデバイス３０２でポイントした位置情報を出力するように構成される。本実施の形態では、ポインティングデバイス３０２によるポイント入力およびポイント入力された軌跡の描画については、一般的な手法を用いている。また、ペン入力部１３１は、ネットワークインターフェース制御部１１０が有線ネットワーク通信部１１１および微弱電波通信部１１２を制御して、ＰＣ端末装置３１，３２および小型ＰＣ端末装置５１と双方向データ通信可能に接続されているときに、ＰＣ端末装置３１，３２および小型ＰＣ端末装置５１内の電子データを取得する指示を入力することができるように構成されている。このペン入力部１３１は、一般的にマウスと呼ばれるような入力装置でもかまわない。ペン入力制御部１３０は、ペン入力部１３１の制御および、検出した位置情報をもとに、縦方向、横方向の移動量を計測する機能を有している。
【００３３】
ＲＯＭ１０３は、ＣＰＵ１０１の動作に必要な複数のプログラムを格納する。ＲＡＭ１０２は、表示装置２０を制御するためのデータを一時的に保持する揮発性のメモリである。記録媒体１０４は、後述する通信許可端末テーブル２００を予め記録するように構成された、ハードディスクまたはフラッシュメモリなどのような、装置の電源をオフにしても内容が保持される不揮発性メモリである。ＣＰＵ１０１は、表示装置２０の各部の動作を統括的に制御するように構成されている。
【００３４】
許可端末認識部１４１は、記録媒体１０４に予め記録される後述の通信許可端末テーブル２００に記録されている情報と、ＰＣ端末装置３２，３３および小型ＰＣ端末装置５１がそれぞれ個別に保有する端末識別情報とを比較して、各外部端末装置に対して双方向データ通信を許可するか否かを判断する。ここで、端末識別情報とは、ＭＡＣアドレスまたは、デバイスアドレスと呼ばれる数字とアルファベットによって構成された文字列であり、ＰＣなどの端末装置に備えられる通信装置毎に物理的に一意で設定されている情報である。
【００３５】
表示装置２０では、許可端末認識部１４１が通信を許可すると判断した外部端末装置である通信許可端末装置と双方向データ通信が可能となる。ここでは、ＰＣ端末装置３２，３３および小型ＰＣ端末装置５１は、通信許可端末装置であるとする。
【００３６】
そして、表示装置２０では、ペン入力部１３１に入力される指示に基づいて、ネットワークインターフェース制御部１１０が有線ネットワーク通信部１１１および微弱電波通信部１１２を制御して、ＰＣ端末装置３２，３３および小型ＰＣ端末装置５１と双方向データ通信を行い、許可端末認識部１４１がＰＣ端末装置３２，３３および小型ＰＣ端末装置５１が保有する電子データを取得して、表示部１２１が取得した電子データに基づいた画像を表示することができる。
【００３７】
また、許可端末認識部１４１は、双方向データ通信を許可すると判断した通信許可端末装置内のドライブの構成を、後述の通信許可端末テーブル２００に記録されている情報に基づいて、表示部１２１に自動的に表示させるように構成されているのが好ましい。これによって、表示装置２０を操作する利用者が、通信許可端末装置内の所望の電子データを検索する手間を省くことができる。許可端末認識制御部１４０は、許可端末認識部１４１の制御を行う機能を有する。
【００３８】
図３は、通信許可端末テーブル２００の一例を示す図である。通信許可端末テーブル２００は、記録媒体１０４に予め記録されており、その構成は、図３（ａ）に示すように、双方向データ通信を許可する外部端末装置として予め登録して記録する外部端末装置の数を記録するエリアである許可端末数記録エリア２０１と、通信許可登録した端末装置である通信許可登録端末装置の情報を記録するエリアである端末情報記録エリア２０２，２０３とを有する。たとえば、許可端末数記録エリア２０１に「５」が記録されている場合、端末情報記録エリア２０２，２０３には、５台の通信許可登録端末装置の情報がそれぞれ個別に記録されている。
【００３９】
端末情報記録エリア２０２，２０３は、通信許可登録端末装置の情報を記録する複数のエリアにわかれている。たとえば、端末情報記録エリア２０２，２０３は、通信許可登録端末装置の前述した端末識別情報を、予め記録する端末識別情報記録エリア２１１を有する。そして、端末情報記録エリア２０２，２０３は、通信許可登録端末装置の固有の名称を、予め記録する登録名記録エリア２１０を有する。この登録名記録エリア２１０は、任意の登録名を記録することができるが、登録名としては、登録内容が識別しやすいような名前をつけておけばよい。これによって、許可端末認識部１４１が端末識別情報記録エリア２１１に予め記録される端末識別情報に基づいて通信許可端末装置を検出したとき、後述するフォルダ情報記録エリア２２０などに、登録名記録エリア２１０に予め記録されている登録名を表示することで、操作者にわかりやすい操作環境を提供することができる。
【００４０】
また、端末情報記録エリア２０２，２０３は、図３（ｂ）に示すように、許可端末認識部１４１が通信許可端末装置を検出したときに、通信許可端末装置の特定のフォルダを記録するためのフォルダ情報記録エリア２２０を有する。
【００４１】
また、端末情報記録エリア２０２，２０３は、図３（ｃ）に示すように、許可端末認識部１４１が通信許可端末装置を検出したとき、通信許可端末装置のドライブ表示もしくは、特定のフォルダを表示するために通信許可端末装置にログインしなくてはならないような環境の場合、このログインするための情報を記録する端末ログイン情報記録エリア２３０を有する。
【００４２】
また、端末情報記録エリア２０２，２０３は、図３（ｄ）に示すように、許可端末認識部１４１が通信許可端末装置を検出したとき、通信許可端末装置の特定のフォルダを表示する場合、前回の最終アクセスフォルダを記録する前回アクセスフォルダ情報記録エリア２４０を有する。
【００４３】
図４は、通信許可端末テーブル２００に記録されている情報を入力するときに表示されるテーブル入力用ユーザーインターフェース７００の一例を示す図である。表示装置２０において通信許可端末テーブル２００を入力あるいは修正したい場合、まず、ペン入力部１３１に配置されるテーブル入力設定ボタン（不図示）を押圧して、テーブル入力用ユーザーインターフェース７００を表示部１２１に表示させる。
【００４４】
テーブル入力用ユーザーインターフェース７００は、通信許可端末テーブル２００に登録されている通信許可登録端末数を表示するエリアである登録端末数表示エリア７０１と、情報を入力したい通信許可登録端末装置を特定するため番号を表示するエリアである入力特定番号表示エリア７０２と、入力特定番号表示エリア７０２に表示される番号を任意に変更するためのボタンである番号変更ボタン７０３と、通信許可登録端末装置の登録名称を入力するエリアである登録名入力エリア７０４と、通信許可登録端末装置のフォルダ情報を入力するエリアであるフォルダ情報入力エリア７０５と、通信許可登録端末装置のユーザー名を入力するエリアであるユーザー名入力エリア７０６と、通信許可登録端末装置のパスワードを入力するエリアであるパスワード入力エリア７０７とを有する。
【００４５】
たとえば、通信許可端末テーブル２００内の端末情報記録エリア２０３に記録されている通信許可登録端末１の情報を修正する場合を、以下に説明する。この場合、まず、番号変更ボタン７０３を押圧操作して、入力特定番号表示エリア７０２に表示される数値を「１」にする。このようにして、情報を修正したい通信許可登録端末装置を特定すると、通信許可端末テーブル２００に登録されている情報に基づいた表示がされる。具体的には、登録名記録エリア２１０に記録されている情報が登録名入力エリア７０４に表示され、フォルダ情報記録エリア２２０に記録されている情報がフォルダ情報入力エリア７０５に表示され、端末ログイン情報記録エリア２３０に記録されている情報がユーザー名入力エリア７０６およびパスワード入力エリア７０７に表示される。
【００４６】
そして、表示された内容を修正した後、ＯＫボタン７１０が押圧されると、テーブル入力用ユーザーインターフェース７００に表示されている内容を、通信許可端末テーブル２００に上書き保存してユーザーインターフェースを終了する。また、キャンセルボタン７２０が押圧されると、テーブル入力用ユーザーインターフェース７００に表示されている内容を廃棄してユーザーインターフェースを終了する。
【００４７】
図５は、表示装置２０が通信許可端末装置を検出する手順を示すフローチャートである。また、図６は、検出端末記録テーブル４７０の一例を示す図である。通信許可端末装置を検出する処理は、タイマー割り込みなどによって一定時間間隔で実行されるプログラムによって実現できる。このプログラムは、ＣＰＵ１０１が許可端末認識部１４１に実行させる。また、ＣＰＵ１０１は、許可端末認識部１４１を制御して、通信許可端末テーブル２００に基づいて通信許可端末装置を検出させ、検出した通信許可端末装置の情報を検出端末記録テーブル４７０に記録する。ここで、検出端末記録テーブル４７０は、通信許可端末テーブル２００と同様に構成されるテーブルであり、説明は省略する。
【００４８】
まず、ステップｓ１では、ＣＰＵ１０１は、通信許可端末装置を検索して検出する処理を行うプログラムが呼び出されると、検出端末記録テーブル４７０の初期化を行う。このとき、ＣＰＵ１０１は、通信許可端末テーブル２００に基づいて、通信許可端末装置の検索を繰り返すためのカウンタである第１ループカウンタを、さらにこの検索の結果に基づき検出端末記録テーブル４７０に記録するためのカウンタである第２ループカウンタを、それぞれ初期化して「０」にする。さらに、ＣＰＵ１０１は、通信許可端末装置の検索を行う処理の中で使用するその他のフラグも併せて初期化する。
【００４９】
次にステップｓ２では、ＣＰＵ１０１は、通信許可端末テーブル２００の許可端末数記録エリア２０１に記録されている通信許可登録端末数が、ゼロか否かを判断する。通信許可登録端末数がゼロである場合、ＣＰＵ１０１は、通信許可端末装置を検索する処理を終了する。通信許可登録端末数がゼロでない場合、即ち１つ以上の通信許可登録端末装置が通信許可端末テーブル２００の許可端末数記録エリア２０１に記録されている場合、ステップｓ３に進む。
【００５０】
ステップｓ３では、ＣＰＵ１０１は、許可端末数記録エリア２０１に記録されている通信許可登録端末数と第１ループカウンタの数値が同じか否かを判断する。通信許可登録端末数と第１ループカウンタの数値が同じであった場合は、通信許可登録端末装置の検索が完了したことになるため、ＣＰＵ１０１は、通信許可端末装置を検索する処理を終了する。通信許可登録端末数と第１ループカウンタの数値が異なった場合、検索すべき端末装置が残存しているということになり、ステップｓ４に進む。ステップｓ４では、ＣＰＵ１０１は、第１ループカウンタに「１」を加算する。
【００５１】
ステップｓ５では、ＣＰＵ１０１は、第１ループカウンタが指し示す、端末識別情報記録エリア２１１に記録される端末識別情報を有する通信許可端末装置を検索する。より具体的に言えば、たとえば、第１ループカウンタの数値が「１」の場合、端末情報記録エリア２０２内の端末識別情報記録エリア２１１に記録される端末識別情報を有する通信許可端末装置を検索し、検出したか否かを判断する。通信許可端末装置を検出できなかった場合、次の通信許可端末装置を検索するために、ステップｓ３に戻る。また、通信許可端末装置を検出した場合、ステップｓ６に進む。ステップｓ６では、ＣＰＵ１０１は、第２ループカウンタに「１」を加算して、ステップｓ７に進む。
【００５２】
ステップｓ７では、検出できた通信許可端末装置の情報を検出端末記録テーブル４７０に記録する。具体的には、ＣＰＵ１０１は、第１ループカウンタが指し示す通信許可端末テーブル２００のデータを、第２ループカウンタの指し示す検出端末記録テーブル４７０にコピーする。たとえば、第１ループカウンタの数値が「１」で、第２ループカウンタの数値が「１」である場合、端末情報記録エリア２０２に記録されている通信許可登録端末１の情報を、検出端末記録テーブル４７０において対応するエリアである検出端末情報記録エリア４７２にコピーする。ステップｓ８では、ＣＰＵ１０１は、第２ループカウンタの数値を、検出端末記録テーブル４７０の検出端末数記録エリア４７１に書き込んで記録する。
【００５３】
このようにして、１つの通信許可端末装置の検出が完了すると、次の通信許可端末装置の検索をするために、ステップｓ３に戻り、通信許可端末テーブル２００の許可端末数記録エリア２０１に記録されている数値と、第１ループカウンタの数値とが同じになるまでステップｓ３からステップｓ８を繰り返す。このようにして、予め通信許可端末テーブル２００に記録されている通信許可登録端末装置の情報のうち、新たに検出した通信許可端末装置の情報のみを検出端末記録テーブル４７０に記録することができる。
【００５４】
図７は、許可端末認識部１４１が通信許可端末装置を検出したときに、通信許可端末装置内のドライブの構成をドライブ構成表示領域３０１に表示させたときの一例を示す図である。表示装置２０においては、前述したように、許可端末認識部１４１が通信許可端末装置を検出したときに、通信許可端末装置内のドライブの構成を自動的にドライブ構成表示領域３０１に表示させるように構成するのが好ましい。ドライブ構成表示領域３０１には、たとえば、図７（ａ）に示すように、通信許可端末装置が有するドライブ構成が表示される。
【００５５】
図８は、表示装置２０が検出した通信許可端末装置のドライブ構成を表示する手順を示すフローチャートである。また、図９は、検出端末記録テーブル４７０に基づいて、通信許可端末装置のドライブ情報を検出したときの表示例を示す図である。表示装置２０のＣＰＵ１０１は、ペン入力部１３１からドライブ構成を表示する指示が入力されると、許可端末認識部１４１に以下のフローを実行させる。ここで、ドライブ構成とは、ドライブ情報と、フォルダ情報と、電子データを示すファイル情報とから構成されるものである。
【００５６】
まず、ステップａ１では、ＣＰＵ１０１は、通信許可端末装置のドライブ情報を表示する処理を行うプログラムが呼び出されると、ドライブ情報を検索する対象となる通信許可端末装置を選択するためのカウンタである第３ループカウンタを初期化して「０」にする。さらに、ＣＰＵ１０１は、通信許可端末装置のドライブ情報を表示する処理の中で使用するその他のフラグも併せて初期化する。
【００５７】
次にステップａ２では、ＣＰＵ１０１は、検出端末記録テーブル４７０の検出端末数記録エリア４７１に記録されている検出されている通信許可端末数が、ゼロか否かを判断する。検出されている通信許可端末数がゼロである場合、ＣＰＵ１０１は、通信許可端末装置のドライブ情報を表示する処理を終了する。検出されている通信許可端末数がゼロでない場合、即ち１つ以上の通信許可端末装置が検出端末記録テーブル４７０に記録されている場合、ステップａ３に進む。ステップａ３では、ＣＰＵ１０１は、第３ループカウンタに「１」を加算する。
【００５８】
次にステップａ４では、ＣＰＵ１０１は、第３ループカウンタが指し示す、検出端末記録テーブル４７０の端末識別情報記録エリア４８０に記録される端末識別情報を有する通信許可端末装置に対し、一般的に共有ドライブと呼ばれる、情報の受け渡しを許可しているドライブの情報がないか調査する。次にステップａ５では、共有ドライブが検出された場合には、ＣＰＵ１０１は、表示部１２１のドライブ構成表示領域３０１に、図９（ａ）に示すような共有ドライブ一覧を表示する。共有ドライブが検出されない場合には、ドライブ構成表示領域３０１になにも表示しなくてもよいし、図９（ｂ）に示すようなエラーメッセージを表示してもよい。
【００５９】
次にステップａ６では、ＣＰＵ１０１は、検出端末数記録エリア４７１に記録されている数値と第３ループカウンタの数値とが同じか否かを判断し、同じであれば、通信許可端末装置のドライブ情報を表示する処理を終了する。検出端末数記録エリア４７１に記録されている数値と第３ループカウンタの数値とが異なると判断した場合には、ＣＰＵ１０１は、次のドライブ情報を検索するために、ステップａ３に戻り、検出端末数記録エリア４７１に記録されている数値と第３ループカウンタの数値とが同じになるまで、ステップａ３からステップａ５を繰り返す。このとき、ＣＰＵ１０１は、通信許可端末装置毎のドライブ情報を並べてドライブ構成表示領域３０１に表示する。このようにして、検出端末記録テーブル４７０に記録されている通信許可端末装置のドライブ情報をドライブ構成表示領域３０１に表示することができる。
【００６０】
また、通信許可端末装置のドライブ構成を表示する処理は、タイマー割り込みなどによって一定時間間隔で実行されるプログラムによって実現してもよい。
【００６１】
以上のようにしてドライブ構成表示領域３０１に表示されたドライブを、ポインティングデバイス３０２で選択し、たとえば、一般的な選択確定の指示方法であるダブルタッチすることで、ドライブの中に記録されているフォルダ一覧を表示することができる。図７（ｂ）を用いて具体的に説明すると、通信許可端末装置内のドライブを示す「ドライブ１」をダブルタッチすると、「ドライブ１」内に記録されている「Ｓｙｓｔｅｍ」フォルダ、「Ｕｓｅｒ」フォルダ、「Ｔｅｍｐ」フォルダの情報が表示される。そして、「Ｕｓｅｒ」フォルダをダブルタッチすると、「Ｄｏｃｕｍｅｎｔ  ２００７１１０１」フォルダの情報が表示され、さらに「Ｄｏｃｕｍｅｎｔ  ２００７１１０１」フォルダをダブルタッチすると、「ＤｏｃｕｍｅｎｔＡ」ファイル、「ＤｏｃｕｍｅｎｔＢ」ファイル、「ＤｏｃｕｍｅｎｔＣ」ファイルなどの電子データファイルが表示される。このようなフォルダ情報は、前述したフォルダ情報記録エリア２２０に記録される。そして、たとえば、「ＤｏｃｕｍｅｎｔＡ」ファイルをダブルタッチすることで、対応する電子データを表示部１２１に表示することができる。
【００６２】
また、前述の説明では、ポインティングデバイス３０２でダブルタッチすることでフォルダ一覧を表示する例を示したが、許可端末認識部１４１が通信許可端末装置を検出したときに、フォルダ情報記録エリア２２０に記録されるフォルダ情報に基づいて、通信許可端末装置内の各ドライブに記録されているフォルダ一覧を、自動的にドライブ構成表示領域３０１に表示させるようにしてもよい。
【００６３】
また、図７（ｃ）に示すように、許可端末認識部１４１が通信許可端末装置を検出したときに、前述した前回アクセスフォルダ情報記録エリア２４０に記録されるフォルダ情報に基づいて、前回の最終アクセスフォルダを、自動的にドライブ構成表示領域３０１に表示させるようにしてもよい。図７（ｃ）では、最終アクセスフォルダが、「Ｄｏｃｕｍｅｎｔ  ２００７１１０３」フォルダ内に記録される「ＤｏｃｕｍｅｎｔＤ」ファイルであった状態である。
【００６４】
図１０は、表示装置２０が検出したドライブのフォルダ構成を表示する手順を示すフローチャートである。表示装置２０のＣＰＵ１０１は、ペン入力部１３１からフォルダ構成を表示する指示が入力されると、許可端末認識部１４１に以下のフローを実行させる。ここで、フォルダ構成とは、フォルダ情報と、電子データを示すファイル情報とから構成されるものである。
【００６５】
まず、ステップｂ１では、ＣＰＵ１０１は、通信許可端末装置のドライブに対応したフォルダ内容を表示する処理を行うプログラムが呼び出されると、ドライブおよびフォルダを検索する対象となる通信許可端末装置を選択するためのカウンタである第４ループカウンタを初期化して「０」にする。さらに、ＣＰＵ１０１は、通信許可端末装置のドライブに対応したフォルダ内容を表示する処理の中で使用するその他のフラグも併せて初期化する。
【００６６】
次にステップｂ２では、ＣＰＵ１０１は、検出端末記録テーブル４７０の検出端末数記録エリア４７１に記録されている検出されている通信許可端末数が、ゼロか否かを判断する。検出されている通信許可端末数がゼロである場合、ＣＰＵ１０１は、通信許可端末装置のドライブに対応したフォルダ内容を表示する処理を終了する。検出されている通信許可端末数がゼロでない場合、即ち１つ以上の通信許可端末装置が検出端末記録テーブル４７０に記録されている場合、ステップｂ３に進む。ステップｂ３では、ＣＰＵ１０１は、第４ループカウンタに「１」を加算する。
【００６７】
次にステップｂ４では、ＣＰＵ１０１は、第４ループカウンタが指し示す、検出端末記録テーブル４７０の端末識別情報記録エリア４８０に記録される端末識別情報を有する通信許可端末装置に対し、一般的に共有ドライブと呼ばれる、情報の受け渡しを許可しているドライブの情報がないか調査する。
【００６８】
次にステップｂ５では、ＣＰＵ１０１は、第４ループカウンタが指し示す、検出端末記録テーブル４７０の中で指定されているフォルダ情報記録エリア４８１に記録されているフォルダ内容を開き、図５（ｂ）に示すようなフォルダ情報をドライブ構成表示領域３０１に表示する。なお、共有ドライブおよび共有フォルダが検出されない場合には、ドライブ構成表示領域３０１になにも表示しなくてもよいし、図９（ｂ）に示すようなエラーメッセージを表示してもよい。
【００６９】
次にステップｂ６では、ＣＰＵ１０１は、検出端末数記録エリア４７１に記録されている数値と第４ループカウンタの数値とが同じか否かを判断し、同じであれば、通信許可端末装置のフォルダ内容を表示する処理を終了する。検出端末数記録エリア４７１に記録されている数値と第４ループカウンタの数値とが異なると判断した場合には、ＣＰＵ１０１は、次のフォルダ情報を検索するために、ステップｂ３に戻り、検出端末数記録エリア４７１に記録されている数値と第４ループカウンタの数値とが同じになるまで、ステップｂ３からステップｂ６を繰り返す。このとき、ＣＰＵ１０１は、通信許可端末装置毎のフォルダ情報を並べてドライブ構成表示領域３０１に表示する。このようにして、検出端末記録テーブル４７０に記録されている通信許可端末装置のフォルダ情報をドライブ構成表示領域３０１に表示することができる。
【００７０】
また、通信許可端末装置のドライブに対応したフォルダ構成を表示する処理は、タイマー割り込みなどによって一定時間間隔で実行されるプログラムによって実現してもよい。
【００７１】
図１１は、表示装置２０が検出したドライブのフォルダ構成を表示する場合にログインを求められるときの手順を示すフローチャートである。表示装置２０のＣＰＵ１０１は、ペン入力部１３１からフォルダ構成を表示する指示が入力されると、許可端末認識部１４１に以下のフローを実行させる。
【００７２】
まず、ステップｃ１では、ＣＰＵ１０１は、通信許可端末装置のドライブに対応したフォルダ内容を表示する場合にログインを求められるときの処理を行うプログラムが呼び出されると、ドライブおよびフォルダを検索する対象となる通信許可端末装置を選択するためのカウンタである第５ループカウンタを初期化して「０」にする。さらに、ＣＰＵ１０１は、通信許可端末装置のドライブに対応したフォルダ内容を表示する処理の中で使用するその他のフラグも併せて初期化する。
【００７３】
次にステップｃ２では、ＣＰＵ１０１は、検出端末記録テーブル４７０の検出端末数記録エリア４７１に記録されている検出されている通信許可端末数が、ゼロか否かを判断する。検出されている通信許可端末数がゼロである場合、ＣＰＵ１０１は、通信許可端末装置のドライブに対応したフォルダ内容を表示する処理を終了する。検出されている通信許可端末数がゼロでない場合、即ち１つ以上の通信許可端末装置が検出端末記録テーブル４７０に記録されている場合、ステップｃ３に進む。ステップｃ３では、ＣＰＵ１０１は、第５ループカウンタに「１」を加算する。
【００７４】
次にステップｃ４では、ＣＰＵ１０１は、第５ループカウンタが指し示す、検出端末記録テーブル４７０の端末識別情報記録エリア４８０に記録される端末識別情報を有する通信許可端末装置に対し、一般的に共有ドライブと呼ばれる、情報の受け渡しを許可しているドライブの情報がないか調査する。
【００７５】
次にステップｃ５では、ＣＰＵ１０１は、ログインを求められているか否かを判断する。ログインが求められている場合にはステップｃ６に進み、ログインが求められていない場合にはステップｃ７に進む。ステップｃ６では、ＣＰＵ１０１は、第５ループカウンタが指し示す、検出端末記録テーブル４７０の中で指定されている端末ログイン情報記録エリア４８２に記録されているログイン情報を使用して通信許可端末装置に自動的にログインする。ステップｃ７では、ＣＰＵ１０１は、第５ループカウンタが指し示す、検出端末記録テーブル４７０の中で指定されているフォルダ情報記録エリア４８１に記録されているフォルダ内容を開き、フォルダ情報をドライブ構成表示領域３０１に表示する。
【００７６】
次にステップｃ８では、ＣＰＵ１０１は、検出端末数記録エリア４７１に記録されている数値と第５ループカウンタの数値とが同じか否かを判断し、同じであれば、通信許可端末装置のフォルダ内容を表示する処理を終了する。検出端末数記録エリア４７１に記録されている数値と第５ループカウンタの数値とが異なると判断した場合には、ＣＰＵ１０１は、次のフォルダ情報を検索するために、ステップｃ３に戻り、検出端末数記録エリア４７１に記録されている数値と第５ループカウンタの数値とが同じになるまで、ステップｃ３からステップｃ８を繰り返す。このとき、ＣＰＵ１０１は、通信許可端末装置毎のフォルダ情報を並べてドライブ構成表示領域３０１に表示する。このようにして、パスワードなどでセキュリティロックされた通信許可端末装置についても、検出端末記録テーブル４７０に記録されている通信許可端末装置のフォルダ情報をドライブ構成表示領域３０１に表示することができる。
【００７７】
また、通信許可端末装置のドライブに対応したフォルダ構成を表示場合にログインを求められるときの処理は、タイマー割り込みなどによって一定時間間隔で実行されるプログラムによって実現してもよい。
【００７８】
図１２は、表示装置２０が検出したドライブのフォルダ構成を表示する場合にログインを求められるときの他の手順を示すフローチャートである。また、図１３は、ログイン情報を入力するユーザーインターフェース６００の一例を示す図である。表示装置２０のＣＰＵ１０１は、ペン入力部１３１からフォルダ構成を表示する指示が入力されると、許可端末認識部１４１に以下のフローを実行させる。
【００７９】
まず、ステップｄ１では、ＣＰＵ１０１は、通信許可端末装置のドライブに対応したフォルダ内容を表示する場合にログインを求められるときの処理を行うプログラムが呼び出されると、ドライブおよびフォルダを検索する対象となる通信許可端末装置を選択するためのカウンタである第６ループカウンタを初期化して「０」にする。さらに、ＣＰＵ１０１は、通信許可端末装置のドライブに対応したフォルダ内容を表示する処理の中で使用するその他のフラグも併せて初期化する。
【００８０】
次にステップｄ２では、ＣＰＵ１０１は、検出端末記録テーブル４７０の検出端末数記録エリア４７１に記録されている検出されている通信許可端末数が、ゼロか否かを判断する。検出されている通信許可端末数がゼロである場合、ＣＰＵ１０１は、通信許可端末装置のドライブに対応したフォルダ内容を表示する処理を終了する。検出されている通信許可端末数がゼロでない場合、即ち１つ以上の通信許可端末装置が検出端末記録テーブル４７０に記録されている場合、ステップｄ３に進む。ステップｄ３では、ＣＰＵ１０１は、第６ループカウンタに「１」を加算する。
【００８１】
次にステップｄ４では、ＣＰＵ１０１は、第６ループカウンタが指し示す、検出端末記録テーブル４７０の端末識別情報記録エリア４８０に記録される端末識別情報を有する通信許可端末装置に対し、一般的に共有ドライブと呼ばれる、情報の受け渡しを許可しているドライブの情報がないか調査する。次にステップｄ５では、ＣＰＵ１０１は、ログインを求められているか否かを判断する。ログインが求められている場合にはステップｄ６に進み、ログインが求められていない場合にはステップｄ８に進む。
【００８２】
ステップｄ６では、ＣＰＵ１０１は、ログイン情報を入力することが可能であり、ログイン情報入力手段となる、図１３に示すような、ユーザーインターフェース６００を表示し、入力されたユーザー名やパスワードなどのログイン情報をワークエリアに記憶する。ここで、ワークエリアとは、初期化処理で確保されるこの処理内で使用される各種値の一時退避メモリ領域のことである。
【００８３】
次にステップｄ７では、ＣＰＵ１０１は、入力されたログイン情報を、第６ループカウンタが指し示す、通信許可端末テーブル２００および検出端末記録テーブル４７０の中でそれぞれ指定されている端末ログイン情報記録エリア２３０，４８２に上書きして記録し、その後、第６ループカウンタが指し示す検出端末記録テーブル４７０の中で指定されている端末識別情報に基づいて、ログインした通信許可端末装置のドライブを調査し、ステップｄ８に進む。
【００８４】
ステップｄ８では、ＣＰＵ１０１は、ＣＰＵ１０１は、第６ループカウンタが指し示す、検出端末記録テーブル４７０の中で指定されているフォルダ情報記録エリア４８１に記録されているフォルダ内容を開き、フォルダ情報をドライブ構成表示領域３０１に表示する。
【００８５】
次にステップｄ９では、ＣＰＵ１０１は、検出端末数記録エリア４７１に記録されている数値と第６ループカウンタの数値とが同じか否かを判断し、同じであれば、通信許可端末装置のフォルダ内容を表示する処理を終了する。検出端末数記録エリア４７１に記録されている数値と第６ループカウンタの数値とが異なると判断した場合には、ＣＰＵ１０１は、次のフォルダ情報を検索するために、ステップｄ３に戻り、検出端末数記録エリア４７１に記録されている数値と第６ループカウンタの数値とが同じになるまで、ステップｄ３からステップｄ９を繰り返す。このとき、ＣＰＵ１０１は、通信許可端末装置毎のフォルダ情報を並べてドライブ構成表示領域３０１に表示する。
【００８６】
このようにして、パスワードなどでセキュリティロックされた端末装置であって、通信許可端末テーブル２００の端末ログイン情報記録エリア２３０にログイン情報が記録されていない、もしくは間違った情報が記録されている場合、正しいログイン情報に書き換えることが可能となり、検出端末記録テーブル４７０に記録されている通信許可端末装置のフォルダ情報をドライブ構成表示領域３０１に表示することができる。
【００８７】
また、通信許可端末装置のドライブに対応したフォルダ構成を表示場合にログインを求められるときの処理は、タイマー割り込みなどによって一定時間間隔で実行されるプログラムによって実現してもよい。
【図面の簡単な説明】
【００８８】
【図１】本発明の実施の一形態である表示システム１０の構成を示す図である。
【図２】本発明の実施の一形態である表示装置２０の外観を概略的に示す図である。
【図３】通信許可端末テーブル２００の一例を示す図である。
【図４】通信許可端末テーブル２００に記録される情報を入力するときに表示されるテーブル入力用ユーザーインターフェース７００の一例を示す図である。
【図５】表示装置２０が通信許可端末装置を検出する手順を示すフローチャートである。
【図６】検出端末記録テーブル４７０の一例を示す図である。
【図７】許可端末認識部１４１が通信許可端末装置を検出したときに、通信許可端末装置内のドライブの構成をドライブ構成表示領域３０１に表示させたときの一例を示す図である。
【図８】表示装置２０が検出した通信許可端末装置のドライブ構成を表示する手順を示すフローチャートである。
【図９】検出端末記録テーブル４７０に基づいて、通信許可端末装置のドライブ情報を検出したときの表示例を示す図である。
【図１０】表示装置２０が検出したドライブのフォルダ構成を表示する手順を示すフローチャートである。
【図１１】表示装置２０が検出したドライブのフォルダ構成を表示する場合にログインを求められるときの手順を示すフローチャートである。
【図１２】表示装置２０が検出したドライブのフォルダ構成を表示する場合にログインを求められるときの他の手順を示すフローチャートである。
【図１３】ログイン情報を入力するユーザーインターフェース６００の一例を示す図である。
【符号の説明】
【００８９】
１０  表示システム
２０  表示装置
３０  ネットワーク
３１，３２  ＰＣ端末装置
５１  小型ＰＣ端末装置
１１０  ネットワークインターフェース制御部
１１１  有線ネットワーク通信部
１１２  微弱電波通信部
１２１  表示部
１３１  ペン入力部
１４１  許可端末認識部
【図１】
2009216729.tif 000003
【図２】
2009216729.tif 000004
【図３】
2009216729.tif 000005
【図４】
2009216729.tif 000006
【図５】
2009216729.tif 000007
【図６】
2009216729.tif 000008
【図７】
2009216729.tif 000009
【図８】
2009216729.tif 000010
【図９】
2009216729.tif 000011
【図１０】
2009216729.tif 000012
【図１１】
2009216729.tif 000013
【図１２】
2009216729.tif 000014
【図１３】
2009216729.tif 000015